(57)【特許請求の範囲】
【請求項１】
汚泥掻き寄せ具を回動方向に間隔を隔てて取り付けてある無端回動体が、横軸芯周りで回転する駆動回転体と従動回転体とに亘って回動自在に巻き掛けられ、前記無端回動体の回転体に対する非巻き掛け部分を、その回動径路の外周側から押圧することにより、その無端回動体に張力を付与する押圧部材が設けられている汚泥掻き寄せ機であって、
前記押圧部材を備えた揺動部材が、前記横軸芯と略平行な揺動軸芯周りで揺動自在に支持され、
前記押圧部材の一部若しくは前記押圧部材に設けられた部材が前記無端回動体の凹部に入り込んで、前記押圧部材と無端回動体との位置ずれを防止するように構成されており、
前記押圧部材の一部若しくは前記押圧部材に設けられた部材の両側のそれぞれに突起を設け、前記突起が前記凹部の外方に位置するように構成されている汚泥掻き寄せ機。
【請求項２】
前記押圧部材が輪体であり、当該輪体の周側面に前記無端回動体の凹部に入り込む凸状部が形成されている請求項１に記載の汚泥掻き寄せ機。
【請求項３】
前記凸状部の少なくとも先端部側の所定領域が周側面側ほど幅広に形成されている請求項２に記載の汚泥掻き寄せ機。
【請求項４】
前記無端回動体は一対のリンクプレートを備えたノッチチェーンを前記ノッチチェーンでの回動方向で隣り合うリンクプレートどうしの夫々を、当該リンクプレートの板面が前記駆動回転体の周方向に沿う姿勢で相対揺動自在に連結して構成してあり、
前記ノッチチェーンの外周側に前記汚泥掻き寄せ具が取り付けてあり、
前記一対のリンクプレートが膨出部を備え、前記一対のリンクプレートの膨出部間に形成された前記凹部に前記押圧部材の一部若しくは前記押圧部材に設けられた部材が入り込む請求項１に記載の汚泥掻き寄せ機。
【請求項５】
前記無端回動体の内周側に前記無端回動体が入り込む凹部を備えたガイド部材が前記押圧部材と一体揺動自在に設けられている請求項１〜４のいずれか１項に記載の汚泥掻き寄せ機。
【請求項６】
前記ガイド部材は位置変更可能に構成されている請求項５に記載の汚泥掻き寄せ機。
【発明の詳細な説明】
【技術分野】
【０００１】
本発明は、汚泥掻き寄せ具を回動方向に間隔を隔てて取り付けてある無端回動体が、横軸芯周りで回転する駆動回転体と従動回転体とに亘って回動自在に巻き掛けられ、前記無端回動体の前記回転体に対する非巻き掛け部分を、その回動径路の外周側から押圧することにより、その無端回動体に張力を付与する押圧部材が設けられている汚泥掻き寄せ機に関する。
【背景技術】
【０００２】
上記汚泥掻き寄せ機は、例えば汚水処理設備における沈澱池に設置され、横軸芯周りで回転する駆動回転体と従動回転体とに亘って巻き掛けられた無端チェーンなどの無端回動体を駆動回動させることにより、その無端回動体に取り付けてある汚泥掻き寄せ具で、沈澱池に沈澱している汚泥を沈澱池底部に設けてある排出溝に掻き寄せることができるものである。
このような汚泥掻き寄せ機では、長期に亘る運転のうちに、クリープ現象や磨耗などに起因して無端回動体に伸びが生じるので、無端回動体の伸びにかかわらず、その無端回動体に適度な張力を与えることができるように、無端回動体の回転体に対する非巻き掛け部分を、その回動径路の外周側から内周側に向けて押圧することにより、その無端回動体に張力を付与する押圧部材が設けられている（例えば、特許文献１参照。）。
【０００３】
【特許文献１】特開２００９−２４１０２２号公報
【発明の開示】
【発明が解決しようとする課題】
【０００４】
この種の汚泥掻き寄せ機では、無端回動体に適切にテンションを付与する必要があり、本発明は無端回動体に適切にテンションを付与することができる汚泥掻き寄せ機を提供することを目的とする。
【課題を解決するための手段】
【０００５】
本発明に係る汚泥掻き寄せ機は、汚泥掻き寄せ具を回動方向に間隔を隔てて取り付けてある無端回動体が、横軸芯周りで回転する駆動回転体と従動回転体とに亘って回動自在に巻き掛けられ、前記無端回動体の回転体に対する非巻き掛け部分を、その回動径路の外周側から押圧することにより、その無端回動体に張力を付与する押圧部材が設けられている汚泥掻き寄せ機であって、前記押圧部材を備えた揺動部材が、前記横軸芯と略平行な揺動軸芯周りで揺動自在に支持され、前記押圧部材の一部若しくは前記押圧部材に設けられた部材が前記無端回動体の凹部に入り込んで、前記押圧部材と無端回動体との位置ずれを防止するように構成されており、前記押圧部材の一部若しくは前記押圧部材に設けられた部材の両側のそれぞれに突起を設け、前記突起が前記凹部の外方に位置するように構成されている。
【０００６】
上記構成によれば、押圧部材が前記無端回動体を押圧するに際に、押圧部材の一部若しくは押圧部材に設けられた部材が無端回動体の一部に入り込んで、押圧部材と前記無端回転体との位置ずれを防止する。このため、押圧部材が無端回動体に乗り上げて、無端回動体押圧部材から離脱することを防止することができる。従って、押圧部材により無端回動体を確実に押圧することができる。
【０００７】
上記構成において、前記押圧部材が輪体であり、当該輪体の周側面に前記無端回動体の凹部に入り込む凸状部が形成されていると好適である。
【０００８】
本構成のように、押圧部材が輪体である場合、輪体の周側面に凸状部を形成することにより、無端回動体の一部に凸状部が入り込んで、押圧部材と凸状部材との位置ずれを防止する。このため、押圧部材が無端回動体に乗り上げて、押圧部材が無端回動体から脱輪することを防止することができる。従って、押圧部材により無端回動体を確実に押圧することができる。
【０００９】
上記構成において、前記凸状部の少なくとも先端部側の所定領域が周側面側ほど幅広に形成されていると好適である。
【００１０】
本構成のように凸状部が周側面側ほど幅広に形成されることにより、凸状部の側面が先端側から基端側に広がるように斜面状に形成される。このように、凸状部の側面が斜面状に形成されることにより、押圧部材が無端回動体に乗り上げようとする場合、つまり、凸状部の先端部付近が無端回動体に接触する場合、押圧部材の凸状部を無端回動体の幅方向中央側に戻す方向に力が働く。従って、より確実に無端回動体の位置ずれを防止することができ、押圧部材により確実に無端回動体を押圧することができる。
【００１１】
上記構成において、前記無端回動体は一対のリンクプレートを備えたノッチチェーンを前記ノッチチェーンでの回動方向で隣り合うリンクプレートどうしの夫々を、当該リンクプレートの板面が前記駆動回転体の周方向に沿う姿勢で相対揺動自在に連結して構成してあり、前記ノッチチェーンの外周側に前記汚泥掻き寄せ具が取り付けてあり、前記一対のリンクプレートが膨出部を備え、前記一対のリンクプレートの膨出部間に形成された前記凹部に前記押圧部材の一部若しくは前記押圧部材に設けられた部材が入り込むと好適である。
【００１２】
本構成のように、一対のリンクプレートが上方に膨出する膨出部を備え、一対のリンクプレートの膨出部間に前記押圧部材の一部若しくは前記押圧部材に設けられた部材が入り込むことにより、ノッチチェーンの補強のための膨出部が押圧部材の一部若しくは押圧部材に設けられた部材が入り込む空間に兼用できる。
【００１３】
上記構成において、前記無端回動体の内周側に前記無端回動体が入り込む凹部を備えたガイド部材が前記押圧部材と一体揺動自在に設けられていると好適である。
【００１４】
上記構成によれば、押圧部材の下方に無端回動体が上方から入り込む凹部を備えたガイド部材が押圧部材と一体揺動自在に設けられている。このため、押圧部材が無端回動体に乗り上げようとする場合、押圧部材がガイド部材と連動してガイド部材が持ち上げられる。この結果、押圧部材が無端回動体に乗り上げて、押圧部材が無端回動体から離脱することを防止することができる。従って、押圧部材により無端回動体を確実に押圧することができる。
【００１５】
上記構成において、前記ガイド部材は位置変更可能に構成されていると好適である。
【００１６】
本構成のように、ガイド部材を位置変更可能に構成することにより、ガイド部材の位置を適切に設定することができる。
【図面の簡単な説明】
【００１７】
【図１】汚水貯留槽の全体縦断面図である。
【図２】ノッチチェーン及び駆動回転体を示す図である。
【図３】押圧部材及びガイド部材を示す上面図である。
【図４】押圧部材及びガイド部材を示す側面図である。
【図５】押圧部材を示す正面図である。
【図６】ガイド部材を示す正面図である。
【図７】別実施形態に係るガイド部材を示す側面図である。
【図８】別実施形態に係るガイド部材を示す正面図である。
【発明を実施するための形態】
【００１８】
以下に本発明の実施の形態を図面に基づいて説明する。
〔第１実施形態〕
図１は、汚水処理設備における沈澱池Ａの縦断面を示し、本発明による汚泥掻き寄せ機ＢとスカムスキマＣとが設置されている。
【００１９】
図１に示すように、前記汚泥掻き寄せ機Ｂは、汚泥掻き寄せ具１を回動方向に間隔を隔てて取り付けてある無端回動体としての左右一対の無端チェーン２の夫々が、横軸芯Ｘ周りで回転する駆動回転体としての駆動スプロケット３と、従動回転体としての第１〜第３従動スプロケット４（４ａ，４ｂ，４ｃ）とに亘って回動自在に巻き掛けられ、駆動スプロケット３を駆動回転させる駆動装置５を設けてある。
【００２０】
前記駆動スプロケット３は、沈澱池Ａの長手方向端部における水面ＷＬ近くに支持され、第１従動スプロケット４ａは、沈澱池Ａの長手方向略中央における水面ＷＬ近くに支持され、第２，第３従動スプロケット４ｂ，４ｃは、沈澱池Ａの長手方向両端側における底面６近くに支持されている。
【００２１】
前記駆動スプロケット３は、図２に示すように、回転軸部材７を挿通するボスの外周側に、二枚の円板部材９を互いに平行に同芯状に設けて、その二枚の円板部材９に亘って、複数の円柱状軸部材である係合ピン１０を周方向に等間隔を隔てて回転軸芯Ｘに沿う姿勢で固定してあり、第１〜第３従動スプロケット４ａ，４ｂ，４ｃの夫々は、図３に示すように、無端チェーン２を入り込ませる周溝１１をその外周部に設けてある。第１従動スプロケット４ａは揺動部材１９の近傍（つまり、押圧部材１７の近傍）に設けられ、第２従動スプロケット４ｂは汚泥ピット１５とは反対の側の端部に設けられ、第３従動スプロケット４ｃは、汚泥ピット１５側の端部に設けられる。
【００２２】
前記無端チェーン２は、図２に示すように、回動方向で隣り合うリンクプレート１２どうしの夫々を、板面が駆動スプロケット３の周方向に沿う姿勢で、連結ピン１６で相対揺動自在に連結してあるノッチチェーン２で構成されている。リンクプレート１２の夫々の駆動スプロケット３側の側縁部１３に、係合ピン１０を係合させるノッチ１４が形成されている。また、ノッチチェーンの外周側（つまり、ノッチチェーン２が底面６の側に位置する場合の下方側）には、例えばアタッチメント等を介して汚泥掻き寄せ具１が取り付けられている。ノッチチェーン２は、例えば合成樹脂製である。
【００２３】
ノッチチェーン２の一対のリンクプレート１２は上方に膨出する膨出部を備え、一対のリンクプレート１２の膨出部３０間に形成された凹部３０ａ（つまり、ノッチチェーン２の一部）に後述する押圧部材１７に設けた凸状部が入り込む。本構成のように、リンクプレート１２の膨出部３０間が凹部３０ａとして機能することにより、汚泥掻き寄せ具１から離れた上方側で押圧部材１７の凸状部１７ａが凹部３０ａに入り込んでノッチチェーン２が押圧部材１７により押圧される。このように、ノッチチェーンの補強のための膨出部３０を押圧部材１７に設けた凸状部が入り込む凹部３０ａとして兼用することができる。
【００２４】
そして、ノッチチェーン２を駆動スプロケット３及び第１〜第３従動スプロケット４ａ，４ｂ，４ｃにおける二枚の円板部材９の間に入り込ませてノッチ１４に係合ピン１０を係合させた状態で、駆動装置５による駆動スプロケット３の駆動回転で、左右一対のノッチチェーン２を駆動回動させて、各汚泥掻き寄せ具１を、駆動スプロケット３，第１従動スプロケット４ａ，第２従動スプロケット４ｂ，第３従動スプロケット４ｃの順に経由するように循環移動させ、駆動スプロケット３側から第１従動スプロケット４ａ側に向けた移動で、沈澱池Ａの水面ＷＬ近くに浮いているスカムをスカムスキマＣ側に掻き寄せ、第２従動スプロケット４ｂ側から第３従動スプロケット４ｃ側に向けた移動で、沈澱池Ａの底面６近くに沈澱している汚泥を沈澱池Ａの底部に設けてある汚泥ピット１５に掻き寄せることができるように構成してある。
【００２５】
図１に示すように、無端チェーン２に張力を付与する押圧部材１７が、下方に自重移動自在に設けてある。  前記押圧部材１７は、図３，図４及び図５に示すように、ノッチチェーン２の回動移動に従動して回転自在な回転部材としての例えば樹脂製の輪体で構成してある。押圧部材１７の外周面の幅方向中央部分には、全周に亘って溝部が形成され、この溝部に弾性体で構成されたリング部材が設けられて、このリングが押圧部材１７の外周面から径方向外側に突出して凸状部１７ａが形成される。このリング部材は押圧部材１７に取り付けられた状態で、少なくとも先端部の所定の領域が、先端部から基端部に向かって幅広に形成されている。この凸状部１７ａがノッチチェーン２の凹部３０ａに上方から入り込む。なお、凸状部１７ａは上述の形態に限られるものではなく、押圧部材１７の外周面に一体的に形成されたものであっても良い。また、凸状部１７ａは、必ずしも押圧部材１７の全周に亘って設ける必要はなく、一部のみに設けてもよい。また、凸状部１７ａを設けることなく、押圧部材１７自体が凹部３０ａに入り込むように構成してもよい。
【００２６】
本実施形態では、図５に示すように、凸状部１７ａの先端部分から所定の領域までの部分が基端側ほど幅が大きくなるように設定されている。凸状部１７ａが周側面側ほど幅広に形成されることにより、凸状部１７ａの側面が先端側から基端側に広がるように斜面状に形成される。このように、凸状部１７ａの側面が斜面状に形成されることにより、押圧部材１７がノッチチェーン２に乗り上げようとする場合、つまり、凸状部１７ａの先端部付近がノッチチェーンの凹部３０ａに接触する場合、押圧部材１７の凸状部１７ａをノッチチェーン２の凹部３０ａの幅方向中央側に戻す方向に付勢する。従って、ノッチチェーン２の位置ずれを防止することができる。なお、押圧部材１７の凸状部１７ａの両側に凸状部１７ａを挟むように突起を設け、凸状部１７ａを凹部３０ａ（一対の膨出部３０の間）に入り込ませるとともに、夫々の膨出部３０の外方に突起が位置するように構成してもよい。
【００２７】
図３，図４及び図５に示すように、押圧部材１７は、第１従動スプロケット４ａの横軸心Ｘと略平行な回転軸心Ｙ周りで回転自在に揺動部材１９に支持してあり、揺動部材１９は、第１従動スプロケット４ａを回転自在に支持している支軸部材２０に、その第１従動スプロケット４ａの横軸心Ｘと略平行な揺動軸心Ｚ周りで自重揺動自在に支持されている。
【００２８】
前記揺動部材１９は、押圧部材１７と、左右一対の揺動アーム２１と、一対の揺動アーム２１どうしを互いに連結している連結フレーム２２とを備えている。各揺動アーム２１の基端側を、第１従動スプロケット４ａの支軸部材２０に回動自在に外嵌する筒体７に取付け、その筒体７の軸心を揺動軸心Ｚとしてあり、揺動アーム２１の先端部に着脱自在に錘８を取付けてある。尚、前記横軸心Ｘと揺動軸心Ｚとは、必ずしも一致していなくとも良い。一対の前記押圧部材１７の夫々を、前記連結フレーム２２に回転軸心Ｙ周りで回転自在に支持してある。
【００２９】
図６に示すように、押圧部材１７の下方で且つ第１従動スプロケット４ａ側には、ノッチチェーン２が上方から入り込む凹部４１ａを備えたガイド部材４０が押圧部材１７と一体揺動自在に設けられている。ガイド部材４０は回転体としての輪体として構成され、輪体に一対の鍔部４１を設けることにより鍔部４１間に凹部４１ａが形成されている。本実施形態では、凹部４１ａは上方ほど幅が広くなるように形成されている。なお、凹部４１ａは必ずしも上方ほど幅が広くなるように形成する必要はなく、上下位置に拘わらず同一の幅であってもよい。
【００３０】
図４に示すように、ガイド部材４０は、揺動アーム２１から下方に延びた支持部材４２に支持されている。揺動アーム２１には揺動アーム２１の長手方向に沿って複数の孔部２１ａが形成され、支持部材４２には高さ方向に沿って複数の孔部４２ａが設けられ、揺動アーム２１の何れかの孔部２１ａと支持部材の何れかの孔部４２ａとに渡ってボルト２１ｂを挿通することにより、ガイド部材４０が支持部材４２を介して揺動アーム２１に支持される。
【００３１】
ここで、揺動アーム２１及び支持部材４２に複数の孔部２１ａ，４２ａが設けられていることから、ボルト２１ｂを挿通する孔部２１ａ，４２ａを変えることでガイド部材４０のノッチチェーン２の移動方向における前後位置及び上下位置を変更することができる。なお、ノッチチェーン２の第１従動スプロケット４ａと押圧部材１７の間の部分は直線状になることが好ましいが、上記のとおり、ガイド部材４０の位置を変更することができるので、ノッチチェーン２の第１従動スプロケット４ａと押圧部材１７の間の部分を直線状にするよう、ガイド部材４０の位置を適切に変更することができる。なお、ガイド部材４０は１個でもよいが、２個の場合はノッチチェーン２を直線状にできるのでより効果的に脱輪が防止される。
【００３２】
本実施形態では、ガイド部材４０は、通常の状態つまり、押圧部材１７の凸状部１７ａがノッチチェーン２の凹部３０ａに入り込んだ状態では、ガイド部材４０の鍔部４１がノッチチェーン２に触れないようにその位置が設定してある。一方、押圧部材１７の凸状部１７ａがノッチチェーン２に乗り上げようとする場合、押圧部材１７と連動してガイド部材４０が持ち上げられるので、ノッチチェーン２が下方に移動してガイド部材４０の鍔部４１に接触する。このとき、鍔部４１により形成される凹部４１ａが上方ほどその幅が大きく設定されているので、ノッチチェーン２が鍔部４１に当接することにより、ノッチチェーン２が上方側且つ凹部４１ａの中央側に付勢される。つまり、押圧部材１７のノッチチェーン２への乗り上げが解消される側に付勢される。なお、凹部４１ａを同一の幅に形成した場合であっても、ノッチチェーン２が鍔部４１に当接することにより、ノッチチェーン２が凹部４１ａの中央側に付勢されるので、押圧部材１７のノッチチェーン２への乗り上げが解消される側に付勢される。
【００３３】
なお、ガイド部材は上記の形態に限られるものではなく例えば、図７及び図８に示すものであってもよい。このガイド部材５０はノッチチェーン２の進行方向に沿って延びる一対の板部材５１を支持部材５２ａ，５２ｂにより揺動アーム２２に支持するよりノッチチェーン２が入り込む凹部５１ａを形成している。また、例えば、チャンネル材等を用いてもよい。また、この場合も、上記の実施形態と同様に、ガイド部材５０の位置を変更可能に構成することができる。
【００３４】
また、上述の沈殿池Ａの形態は一例であり、この汚泥掻き寄せ機Ｂは他の形態の沈殿池等にも適用可能であり、その他の汚泥処理装置においても適用可能である。
【産業上の利用可能性】
【００３５】
本発明は、沈殿池等の汚泥処理装置における汚泥掻き寄せ機として利用することができる。
【符号の説明】
【００３６】
１            汚泥掻き寄せ具
２            無端回動体（ノッチチェーン）
１７          押圧部材
１９          揺動部材
１２          リンクプレート
４０，５０    ガイド部材
【図１】
0005851770.tif 000002
【図２】
0005851770.tif 000003
【図３】
0005851770.tif 000004
【図４】
0005851770.tif 000005
【図５】
0005851770.tif 000006
【図６】
0005851770.tif 000007
【図７】
0005851770.tif 000008
【図８】
0005851770.tif 000009